【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
食品のための容器であって、
前記容器は、食品を入れるための開口および前記開口の周りの閉鎖形成手段を備える本体を有し、
前記閉鎖形成手段は、
前記開口の少なくとも一部に設けるフランジ部と、
使用の際に前記フランジ部の第１面に接着されて前記容器を閉じる蓋部と、
を有し、
前記蓋部は、前記フランジ部となる部分と折線により連結される、
容器。
【請求項２】
請求項１記載の容器であって、
前記蓋部を前記フランジ部となる部分に連結する前記折線は、前記蓋部を前記容器の本体に連結する折線についての屈曲延長部である、
容器。
【請求項３】
請求項２記載の容器であって、
前記容器は、ボール紙による基板と液体不浸透性層とからなる、
容器。
【請求項４】
請求項３記載の容器であって、
前記液体不浸透性層は、フィルム層からなる、
容器。
【請求項５】
請求項４記載の容器であって、
前記フィルム層は、前記ボール紙による基板の縁辺を越えて延び、１以上のフィルムのはみ出し部を形成する、
容器。
【請求項６】
請求項５記載の容器であって、
少なくとも１つのフィルムのはみ出し部は、前記フランジ部となる部分を形成する、
容器。
【請求項７】
請求項６記載の容器であって、
前記フランジ部となる前記部分は、前記容器の前記密閉部と連結される、
容器。
【請求項８】
先行するいずれかの請求項に記載の容器であって、
前記密閉部は、
少なくとも１つの折線を有し、前記容器を閉じる場合、前記密閉部の折返部が、前記フランジ部についての、前記第１面とは反対側の第２面の少なくとも一部の上に、折り曲げられることを許容する、
容器。
【請求項９】
請求項７記載の容器であって、
前記密閉部の前記折返部は、フィルムのはみ出し部からなる、
容器。
【請求項１０】
食品のための容器であって、
前記容器は、
食品を入れるための開口および前記開口の少なくとも一部の周りに設けられたフランジ部を備える、本体と、
使用の際に前記フランジ部の第１面に接着されて、前記容器を閉じる、密閉部と、
を有し、
前記密閉部は、
少なくとも１つの折線を有し、前記容器を閉じる場合、前記密閉部の折返部が、前記フランジ部についての、前記第１面と反対側の第２面の少なくとも一部の上に、折り曲げられることを許容する、
容器。
【請求項１１】
請求項１０記載の容器であって、
前記容器は、ボール紙による基板と液体不浸透性層とからなる、
容器。
【請求項１２】
請求項１１記載の容器であって、
前記液体不浸透性層は、フィルム層からなる、
容器。
【請求項１３】
請求項１２記載の容器であって、
前記フィルム層は、前記ボール紙による基板の縁辺を超えて延び、１以上のフィルムのはみ出し部を形成する、
容器。
【請求項１４】
請求項１３記載の容器であって、
前記密閉部の前記折返部は、フィルムのはみ出し部からなる、
容器。
【請求項１５】
請求項１０から１４のいずれか一項記載の容器であって、
前記密閉部は、前記フランジ部となる部分と折線により連結される、
容器。
【請求項１６】
請求項８から１５のいずれか一項記載の容器であって、
前記密閉部の前記折返部は、前記密閉部の角からなる、
容器。
【請求項１７】
請求項８から１６のいずれか一項記載の容器であって、
前記密閉部の前記折返部は、前記密閉部の縁部において、前記フランジ部となる部分と平行に構成されている、
容器。
【請求項１８】
請求項１から７のいずれか一項記載の容器であって、
開封部を更に有する、
容器。
【請求項１９】
請求項８から１７のいずれか一項記載の容器であって、
開封部を更に有する、
容器。
【請求項２０】
請求項１９記載の容器であって、
前記密閉部の前記折返部は、前記開封部の一部として形成される、
容器。
【請求項２１】
先行するいずれかの請求項に記載の容器であって、
前記容器において前記閉鎖形成手段と隣り合う頂部に位置する、熱活性封止手段を更に有する、
容器。
【請求項２２】
先行するいずれかの請求項に記載の容器であって、
前記容器は、ブランクを折り曲げることにより形成される、
容器。
【請求項２３】
請求項２２記載の容器であって、
前記ブランクは、前記組み立てた容器において隣り合う壁部を形成するパネル部の間に、テープ部を備え、
前記テープ部は、折り曲げられて、前記前記容器の前記外側に接着される、
容器。
【請求項２４】
先行するいずれかの請求項に記載の容器を形成するためのブランク。
【請求項２５】
請求項２４記載のブランクであって、
略矩形の第１端パネル部および第２端パネル部、前記第１端パネル部の縁から延びる三角形の側パネル部、および、前記第２端パネル部の縁と側パネル部との間のテープ部、を有し、
二つのテープ部はそれらの間に折線を備え、
前記ブランクの前記縁の周りのフランジ部は、複数に分離された部分からなり、第１端パネル部、第２端パネル部、少なくとも１つの側パネル部、および少なくとも１つのテープ部と、フランジ部の折線により連結される、
ブランク。
【請求項２６】
請求項２５記載のブランクであって、
ボール紙による基板と液体不浸透性フィルム層とからなり、
前記フィルム層は、前記基板の縁辺を超えて延び、フィルムのはみ出し部を形成する、
ブランク。
【請求項２７】
請求項２６記載のブランクであって、
前記フィルムのはみ出し部は、隣り合うテープ部の間に設けられる、
ブランク。
【請求項２８】
請求項２６または２７記載のブランクであって、
前記フィルムのはみ出し部は、少なくとも１つのテープ部の自由縁辺に設けられる、
ブランク。
【請求項２９】
請求項２６から２８のいずれか一項記載のブランクであって、
前記フィルムのはみ出し部は、少なくとも１つのフランジ部を形成する部分の自由縁辺を超えて延びる、
ブランク。
【請求項３０】
請求項２２記載の容器であって、
前記容器の本体は、前記ブランクの本体用のパネル部により形成される複数の壁部からなり、前記開口を画成し、
前記開口は、複数の角を有し、
前記開口の各々の角は、前記ブランクの二つのパネル部の間に形成されて、前記容器の本体において隣り合う壁部の間の前記折線の端に形成され、
前記閉鎖形成手段は、前記容器の本体の各々のパネル部に連結され、前記開口の各々の角を連続的に周回する、
容器。
【請求項３１】
ブランクを折り曲げることにより形成される容器であって、
前記容器は、複数の壁部を有する容器の本体からなり、前記ブランクにおける本体用のパネル部から形成され、複数の角を有する開口を画成する、
前記開口の各々の角は、前記容器の本体において隣り合う壁部を形成する二つの前記本体用のパネル部の間にある、前記折線の端に形成され、
前記容器は、更に、前記開口の周りに閉鎖形成手段を備え、
前記閉鎖形成手段は、前記容器の本体の各々のパネル部に連結され、前記開口の各々の角を連続的に周回する、
容器。
【請求項３２】
請求項３０または３１記載の容器であって、
前記閉鎖形成手段は、前記容器の開口の少なくとも一部の周りのフランジ部を備える、
容器。
【請求項３３】
請求項３２記載の容器であって、
前記フランジ部は、前記ブランクにおいて外側に折り曲げられる複数のパネル部を備える、
外側に折り曲げられるパネル部の各々は、折線により、本体用のパネル部に連結される、
容器。
【請求項３４】
請求項３３記載の容器であって、
前記外側に折り曲げられるパネル部の間の間隙に、フィルムについての架け渡された部分がある、
容器。
【請求項３５】
請求項３４記載の容器であって、
前記フィルムは、伸縮可能である、
容器。
【請求項３６】
請求項３４または３５記載の容器であって、
前記フィルムは、プラスチックフィルムである、
容器。
【請求項３７】
請求項３６記載の容器であって、
前記プラスチックフィルムは、プラスチック材料による複数の層からなる、
容器。
【請求項３８】
請求項３７記載の容器であって、
前記プラスチックフィルムは、同時押出により成形される、
容器。